(57)【要約】  本発明の目的は、充填物を収容する２つの生地の両方に針穴が形成されないので、針穴からの充填物の吹き出しを防ぐことができ、さらに、当たりを軽減できる防寒素材を提供することである。本発明に係る防寒素材は、第１の生地と第２の生地を連結して第１の生地と第２の生地の間に収納領域を形成し、各収納領域内に充填物を充填してなる防寒素材であって、第１の生地と第２の生地を連結する連結部材は、片面を第１の接着面とする第１の片面接着テープと、片面を第２の接着面とする第２の片面接着テープと、を備え、第１の接着面と、第２の接着面を対向させて、第１の片面接着テープと、第２の片面接着テープを縫着し、第１の接着面の片側と、対向する第２の接着面の片側を第１の生地の裏面に接着し、第１の接着面の他の側と、対向する第２の接着面の他の側を第２の生地の裏面に接着して第１の生地と第２の生地を連結してなる。
2018100763.tif 000002
【特許請求の範囲】
【請求項１】
第１の生地と第２の生地を連結して前記第１の生地と前記第２の生地の間に収納領域を形成し、各収納領域内に充填物を充填してなる防寒素材であって、
前記第１の生地と前記第２の生地を連結する連結部材は、
片面を第１の接着面とする第１の片面接着テープと、
片面を第２の接着面とする第２の片面接着テープと、
を備え、
前記第１の接着面と、前記第２の接着面を対向させて、前記第１の片面接着テープと、
前記第２の片面接着テープを縫着し、
前記第１の接着面の片側と、対向する前記第２の接着面の片側を前記第１の生地の裏面に接着し、
前記第１の接着面の他の側と、対向する前記第２の接着面の他の側を前記第２の生地の裏面に接着して前記第１の生地と前記第２の生地を連結してなる防寒素材。
【請求項２】
第１の生地と第２の生地を連結して前記第１の生地と前記第２の生地の間に収納領域を形成し、各収納領域内に充填物を充填してなる防寒素材であって、
前記第１の生地と前記第２の生地を連結する連結部材は、
片面を第１の接着面とし、他の面を第１の非接着面とする第１の片面接着テープと、
片面を第２の接着面とし、他の面を第２の非接着面とする第２の片面接着テープと、
少なくとも一部が網目のメッシュテープと、
を備え、
前記第１の非接着面と、前記メッシュテープの第１の面を対向させて、前記第１の片面接着テープと、前記メッシュテープの片側を縫着し、
前記第２の非接着面と、前記メッシュテープの第２の面を対向させて、前記第２の片面接着テープと、前記メッシュテープの他の側を縫着し、
前記第１の接着面を前記第１の生地の裏面に接着し、
前記第２の接着面を前記第２の生地の裏面に接着して前記第１の生地と前記第２の生地を連結してなる防寒素材。
【請求項３】
請求項１又は２に記載の防寒素材により構成される防寒ウェア。
【請求項４】
互いの接着面が向かい合った状態で、２つの片面接着テープを縫着し、
前記接着面を広げた状態で、前記２つの片面接着テープと、２つの生地を接着することによって、前記２つの生地を連結し、
前記連結した２つの生地の間に充填物を充填する防寒素材の製造方法。
【請求項５】
第１の片面接着テープの非接着面を少なくとも一部が網目のメッシュテープの第１の面の片側に寄せた状態で、前記第１の片面接着テープと前記メッシュテープを縫着し、
第２の片面接着テープの非接着面を前記メッシュテープの第２の面の他の側に寄せた状態で、前記第２の片面接着テープと前記メッシュテープを縫着し、
前記第１の片面接着テープの接着面と、充填物を覆う２つの生地の一方とを接着し、及び、前記第２の片面接着テープの接着面と、他方の生地とを接着することによって、前記２つの生地を連結し、
前記連結した２つの生地の間に充填物を充填する防寒素材の製造方法。
【請求項６】
前記第１の片面接着テープと前記メッシュテープとを縫着する工程と、前記第２の片面接着テープと前記メッシュテープとを縫着する工程が、同時に行われ、
前記第１の片面接着テープの接着面と、充填物を覆う２つの生地の一方とを接着する工程と、前記第２の片面接着テープの接着面と、他方の生地とを接着する工程が、同時に行われる請求項５に記載の防寒素材の製造方法。
【発明の詳細な説明】
【技術分野】
【０００１】
本発明は、防寒ウェアなどに用いる防寒素材、防寒素材の製造方法及び、防寒ウェアに関する。
【背景技術】
【０００２】
羽毛または中綿等の充填物入りの防寒ウェアとしては、例えばコート、ジャケット、ベスト、ズボン、パンツ等がある。【０００３】
特許文献１には、表地と裏地との間にホットメルトテープを介在させている。このホットメルトテープは、山形に２つ折りされて中央部を裏地に縫着すると共に、一片を表地の裏面に接着し、他片を裏地に接着して、裏地の縫い目から充填物が漏れ出ることを塞ぐことが記載されている。
【先行技術文献】
【特許文献】
【０００４】
【特許文献１】実用新案登録第３１０５９２５号公報
【発明の概要】
【発明が解決しようとする課題】
【０００５】
裏地に縫い目が出てしまうため、この縫い目を覆うために、他の生地でさらに覆っている。【０００６】
そこで、本発明の目的は、充填物を収容する２つの生地の両方に針穴が形成されないので、針穴からの充填物の吹き出しを防ぐことができ、さらに、当たりを軽減できる防寒素材、防寒素材の製造方法及び防寒ウェアを提供することである。
【課題を解決するための手段】
【０００７】
上記目的を達成するために、本発明に係る第１の防寒素材は、第１の生地と第２の生地を連結して前記第１の生地と前記第２の生地の間に収納領域を形成し、各収納領域内に充填物を充填してなる防寒素材であって、前記第１の生地と前記第２の生地を連結する連結部材は、片面を第１の接着面とする第１の片面接着テープと、片面を第２の接着面とする第２の片面接着テープと、を備え、前記第１の接着面と、前記第２の接着面を対向させて、前記第１の片面接着テープと、前記第２の片面接着テープを縫着し、前記第１の接着面の片側と、対向する前記第２の接着面の片側を前記第１の生地の裏面に接着し、前記第１の接着面の他の側と、対向する前記第２の接着面の他の側を前記第２の生地の裏面に接着して前記第１の生地と前記第２の生地を連結してなる。【０００８】
本発明に係る第２の防寒素材は、第１の生地と第２の生地を連結して前記第１の生地と前記第２の生地の間に収納領域を形成し、各収納領域内に充填物を充填してなる防寒素材であって、前記第１の生地と前記第２の生地を連結する連結部材は、片面を第１の接着面とし、他の面を第１の非接着面とする第１の片面接着テープと、片面を第２の接着面とし、他の面を第２の非接着面とする第２の片面接着テープと、少なくとも一部が網目のメッシュテープと、を備え、前記第１の非接着面と、前記メッシュテープの第１の面を対向させて、前記第１の片面接着テープと、前記メッシュテープの片側を縫着し、前記第２の非接着面と、前記メッシュテープの第２の面を対向させて、前記第２の片面接着テープと、前記メッシュテープの他の側を縫着し、前記第１の接着面を前記第１の生地の裏面に接着し、前記第２の接着面を前記第２の生地の裏面に接着して前記第１の生地と前記第２の生地を連結してなる。【０００９】
本発明に係る防寒ウェアは、本発明に係る上記第１又は第２の防寒素材により構成される。【００１０】
本発明に係る第１の防寒素材の製造方法は、互いの接着面が向かい合った状態で、２つの片面接着テープを縫着し、前記接着面を広げた状態で、前記２つの片面接着テープと、２つの生地を接着することによって、前記２つの生地を連結し、前記連結した２つの生地の間に充填物を充填する。【００１１】
本発明に係る第２の防寒素材の製造方法は、第１の片面接着テープの非接着面を少なくとも一部が網目のメッシュテープの第１の面の片側に寄せた状態で、前記第１の片面接着テープと前記メッシュテープを縫着し、第２の片面接着テープの非接着面を前記メッシュテープの第２の面の他の側に寄せた状態で、前記第２の片面接着テープと前記メッシュテープを縫着し、前記第１の片面接着テープの接着面と、充填物を覆う２つの生地の一方とを接着し、及び、前記第２の片面接着テープの接着面と、他方の生地とを接着することによって、前記２つの生地を連結し、前記連結した２つの生地の間に充填物を充填する。
【発明の効果】
【００１２】
本発明の防寒素材、防寒素材の製造方法及び防寒ウェアは、以上の構成及び方法を備えることにより、充填物を収容する２つの生地の両方に針穴が形成されないので、針穴からの充填物の吹き出しを防ぐことができ、さらに、当たりを軽減できる。
【図面の簡単な説明】
【００１３】
【図１】図１は、本発明の実施例１に係る防寒素材を示し、（ａ）左前身頃の全体図、（ｂ）連結部材（Ｘ字型の接着テープ）の拡大図、（ｃ）左前身頃の断面図を示す。
【図２ａ】図２ａは、本発明の実施例１に係る防寒素材の製造方法のフローチャートであって、片側に接着樹脂が付いた接着樹脂面を有する２つの片面接着テープを用意するプロセスを示す。
【図２ｂ】図２ｂは、本発明の実施例１に係る防寒素材の製造方法のフローチャートであって、各接着樹脂面を内側にして２つの片面接着テープを重ねるプロセスを示す。
【図２ｃ】図２ｃは、本発明の実施例１に係る防寒素材の製造方法のフローチャートであって、２つの片面接着テープを縫着するプロセスを示す。
【図３ａ】図３ａは、本発明の実施例１に係る防寒素材の製造方法のフローチャートであって、２つの片面接着テープの接着樹脂面を縫い目から折り曲げるプロセスを示す。
【図３ｂ】図３ｂは、本発明の実施例１に係る防寒素材の製造方法のフローチャートであって、２つの片面接着テープによって接着された２つの生地の内側の領域である収納領域に保温材１９を充填するプロセスを示す。
【図４】図４は、本発明の実施例２に係る防寒素材を示し、（ａ）左前身頃の全体図、（ｂ）連結部材（Ｚ字型の接着テープ）の拡大図、（ｃ）左前身頃の断面図を示す。
【図５ａ】図５ａは、本発明の実施例２に係る防寒素材の製造方法のフローチャートであって、片側に接着樹脂が付いた接着樹脂面を有する２つの片面接着テープと、メッシュテープを用意するプロセスを示す。
【図５ｂ】図５ｂは、本発明の実施例２に係る防寒素材の製造方法のフローチャートであって、２つの片面接着テープをメッシュテープの表裏面の端縁に配設するプロセスを示す。
【図６ａ】図６ａは、本発明の実施例２に係る防寒素材の製造方法のフローチャートであって、２つの片面接着テープの幅の中央を長手方向に縫着するプロセスを示す。
【図６ｂ】図６ｂは、本発明の実施例２に係る防寒素材の製造方法のフローチャートであって、メッシュテープを介して２つの片面接着テープによって接着された２つの生地の内側の領域である収納領域に保温材２９を充填するプロセスを示す。
【発明を実施するための形態】
【００１４】
以下、図面を用いて実施例を説明する。
【実施例１】
【００１５】
図１は、本発明の実施例１に係る防寒素材１００を示し、（ａ）左前身頃の全体図、（ｂ）連結部材（Ｘ字型の接着テープ）１１０の拡大図、（ｃ）左前身頃の断面図を示す。【００１６】
（構成）
同図（ａ）は、実施例１に係る防寒素材１００を用いた左前身頃の全体図である。この左前身頃は、胴体の左前面を覆う２つの生地（表地１６−１及び裏地１６−２）と、２つの生地（１６−１、１６−２）を連結する連結部材１１０で構成されている。【００１７】
同図（ｂ）は、連結部材１１０を拡大した図である。実施例１の連結部材は、それぞれの片面に接着樹脂が付いた２つの片面接着テープ（１０、１０’）で構成されている。【００１８】
２つの片面接着テープ（１０、１０’）は、それぞれの接着面（１０ａ、１０’ａ）を向い合せ、それぞれの非接着面（１０ｂ、１０’ｂ）を外側に向けた状態で、長手方向に縫着されている。縫い目１４は非接着面に見えている。【００１９】
縫着後に、向かい合った接着面（１０ａ、１０’ａ）を縫い目１４より折って広げると、接着面１０ａの片側と接着面１０’ａの片側と、接着面１０ａの他の側と接着面１０’ａの他の側が起立し、Ｘ字型の接着テープになる。【００２０】
２つの生地（１６−１、１６−２）の間に、連結部材１１０を次の要領で配置する。接着面１０ａの片側と接着面１０’ａの片側を表地１６−１の裏面に対向させ、接着面１０ａの他の側と接着面１０’ａの他の側を裏地１６−２の裏面に対向させる。【００２１】
非接着面（１０ｂ、１０’ｂ）に形成される縫い目１４は、表地１６−１の裏面及び裏地１６−２の裏面からは隠れ、縫い目１４は長手方向の線ではなく、Ｘ字型の接着テープ（連結部材）１１０の端に点として見えるだけである。なお、表地１６−１の裏面に向い合う接着面１０ａの片側と接着面１０’ａの片側との間に見える実線は、接着面１０ａの片側と接着面１０’ａの片側との境目（又は折り目）である。【００２２】
同図（ｃ）は、左前身頃の断面図であり、連結部材１１０が表地１６−１の裏面と裏地１６−２の裏面を連結している状態を示す。連結部材１１０の接着面１０ａの片側と接着面１０’ａの片側が表地１６−１の裏面と接着し、接着面１０ａの他の側と接着面１０’ａの他の側が裏地１６−２の裏面と接着することによって、表地１６−１の裏面と裏地１６−２の裏面は連結部材１１０を介して連結する。【００２３】
表地１６−１の裏面と裏地１６−２の裏面が、連結部材１１０であるＸ字型の接着テープによって連結すると、表地１６−１と裏地１６−２の間に収納領域が形成される。収納領域内に羽毛や繊維綿などの保温材１９が充填されることによって、防寒素材１００が構成される。【００２４】
（製造方法）
次に、図２及び図３を用いて、防寒素材１００の製造方法を説明する。ここで、図２及び図３は、図１（ａ）の点線で囲まれた領域を拡大した図である。【００２５】
図２ａ、ｂ、ｃは、防寒素材１００の製造方法のフローチャートであって、縫着を行うまでのプロセスを示す。図２ａに示す通り、片側に接着樹脂が付いた接着樹脂面を有する２つの片面接着テープ（１０、１０’）を用意する。そして、互いの接着樹脂面（１０ａ、１０’ａ（不図示））を向かい合わせ、非接着面（１０ｂ（不図示）、１０’ｂ）は外面となる。なお、２つの片面接着テープ（１０、１０’）の幅は例えば２０ｍｍの片面接着テープを使用する。しかし、テープの幅は一例にすぎず、適宜のテープ幅が使用できる。【００２６】
接着樹脂としては、特に制限はないが、熱可塑性樹脂がよく、例えば、ホットメルト樹脂が挙げられる。熱可塑性樹脂の他の具体例としては、ポリアミド樹脂、ポリエステル樹脂、ポリウレタン樹脂、ポリエチレン樹脂、エチレン−酢酸ビニル共重合体などが挙げられる。なかでも、ポリアミド樹脂、ポリエステル樹脂およびポリウレタン樹脂が好ましい。【００２７】
次に、図２ｂに示す通り、各接着樹脂面を内側にして２つの片面接着テープ（１０、１０’）を重ねる。【００２８】
そして、互いの接着樹脂面が向かい合った状態で、２つの片面接着テープ（１０、１０’）の幅の中央を長手方向に縫着する。図２ｃに示す通り、点線で示す縫い目１４が、２つの片面接着テープ（１０、１０’）に形成される。【００２９】
図３ａ、ｂは、防寒素材１００の製造方法のフローチャートの続きであって、防寒素材１００が完成するまでのプロセスを示す。図３ａに示す通り、２つの片面接着テープ（１０、１０’）の接着樹脂面（１０ａ、１０’ａ）を縫い目１４から折り曲げる。２つの片面接着テープはＸ字型に拡開する。非接着面（１０ｂ及び１０’ｂ）は互いに内側に向いた状態になり、点線で示していた縫い目１４は、接着樹脂面（１０ａ、１０’ａ）の表に出ない状態になる。【００３０】
また、接着面１０ａの半分と接着面１０’ａの半分との境目（又は折り目）を実線として表しているが、接着面１０ａの半分と接着面１０’ａの半分の間は段差が無く平坦な状態（いわゆる面一の状態）になる。【００３１】
図３ｂに示す通り、縫い目１４が表に出ない状態の２つの片面接着テープ（１０、１０’）である連結部材１１０を、表地１６−１と裏地１６−２との間に置いて接着機で加熱することによって、接着樹脂が溶着する。表地１６−１の内側面（又は裏面）には、接着面１０ａの半分と接着面１０’ａの半分が接着し、裏地１６−２の内側面（又は裏面）には、接着面１０ａの残りの半分と接着面１０’ａの残りの半分が接着する。さらに、２つの片面接着テープ（１０、１０’）によって接着された２つの生地（１６−１、１６−２）の内側の領域である収納領域に保温材１９を充填することによって、防寒素材１００が完成する。【００３２】
（効果）
実施例１の防寒素材１００によれば、縫い目１４が表に出ない状態、すなわち、針穴が生地に形成されない状態で、防寒素材を作り上げることができる。各生地と接着する接着面には縫い目が無いので、当たりが軽減される。ここで、「当たり」とは裏の始末が表から見てわかってしまうことをいう。【００３３】
実施例１において、左前身頃を例示して説明したが、同様に右前身頃、後身頃、左右の袖を防寒素材で構成し、後身頃、左右前身頃、左右袖を縫着することにより、上衣を形成することができる。このようにして構成される上衣は、充填物を収容する２つの生地の両方に針穴が形成されないので、針穴からの充填物の吹き出しを防ぐことができ、さらに、当たりを軽減できる。また、上衣に限らず防寒ウェア全般に、上述した防寒素材を適用することができる。【００３４】
（変形例）
上述した実施例１は、２層（表地１６−１と裏地１６−２）であるが、別の表地又は別の裏地を２層に付けて、３層構造にしてもよい。また、別の表地と別の裏地の両方を２層に付けて、４層構造にしてもよい。
【実施例２】
【００３５】
図４は、本発明の実施例２に係る防寒素材を示し、（ａ）左前身頃の全体図、（ｂ）連結部材（Ｚ字型の接着テープ）２１０の拡大図、（ｃ）左前身頃の断面図を示す。【００３６】
（構成）
同図（ａ）は、実施例２に係る防寒素材２００を用いた左前身頃の全体図である。この左前身頃は、胴体の左前面を覆う２つの生地（表地２６−１及び裏地２６−２）と、２つの生地（２６−１、２６−２）を連結する連結部材２１０で構成されている。【００３７】
同図（ｂ）は、連結部材を拡大した図である。実施例２では、連結部材２１０は、それぞれの片面に接着樹脂が付いた２つの片面接着テープ（２０及び２０’）と、メッシュテープ２２で構成されている。【００３８】
２つの片面接着テープ（２０、２０’）は、メッシュテープ２２をはさみ、それぞれの接着面（２０ａ、２０’ａ）が外側となるように配置する。そして、片面接着テープ２０の非接着面２０ｂ（不図示）をメッシュテープ２２の片面の幅方向片側に対向させ、片面接着テープ２０’は非接着面２０’ｂをメッシュテープ２２の他の面の幅方向の片側に対向させて配置する。【００３９】
この状態で、片面接着テープ２０とメッシュテープ２２を縫着し、片面接着テープ２０’とメッシュテープ２２を縫着する。片面接着テープ２０とメッシュテープ２２は、縫い目２４−１で縫着され、片面接着テープ２０’とメッシュテープ２２は、縫い目２４−２で縫着される。【００４０】
縫着後に、片面接着テープ２０と片面接着テープ２０’の間を広げると、メッシュテープ２２の両端の上面、下面に片面接着テープ２０、２０’が縫着された状態となっている。【００４１】
２つの生地（２６−１、２６−２）の間に、この接着テープの接着面２０ａを表地２６−１の裏面に向い合せ、接着面２０’ａを裏地２６−２の裏面に向い合せ、熱溶着する。【００４２】
同図（ｃ）は、左前身頃の断面図であり、Ｚ字型の接着テープが表地２６−１の裏面と裏地２６−２の裏面を連結している状態を示す。接着面２０ａが表地２６−１の裏面と接着し、接着面２０’ａが裏地２６−２の裏面と接着することによって、表地２６−１の裏面と裏地２６−２の裏面は連結部材２１０を介して連結する。【００４３】
表地２６−１の裏面と裏地２６−２の裏面を、連結部材２１０（Ｚ字型の接着テープ）
によって連結すると、表地２６−１と裏地２６−２の間に収納領域が形成される。収納領域内に羽毛や繊維綿などの保温材２９を充填することによって、防寒素材２００が構成される。【００４４】
（製造方法）
次に、図５及び図６を用いて、防寒素材２００の製造方法を説明する。ここで、図５及び図６は、図４（ａ）の点線で囲まれた領域を拡大した図である。【００４５】
図５ａ、ｂは、防寒素材２００の製造方法のフローチャートであって、片面接着テープをメッシュテープの上下に載せるまでのプロセスを示す。図５ａに示す通り、片側に接着樹脂が付いた接着樹脂面を有する２つの片面接着テープ（２０、２０’）と、メッシュテープ２２を用意する。ここで、片面接着テープ（２０、２０’）の幅は例えば１５ｍｍとし、メッシュテープ２２の幅は例えば４０ｍｍを使用した例を示している。このテープの幅は一例にすぎず、適宜広くしたり狭くしたりしてよい。なお、接着樹脂は実施例１と同様である。【００４６】
次に、図５ｂに示す通り、接着樹脂面２０ａをメッシュテープ２２に対し外側にして、片面接着テープ２０をメッシュテープ２２の第１の面の左側に重ねる。また、非接着面２０’ｂをメッシュテープ２２に向い合せ、片面接着テープ２０’をメッシュテープ２２の第２の面の右側に重ねる。２つの片面接着テープ（２０、２０’）は、間隔２１を設けて、メッシュテープ２２の表裏面の端縁に配設され、重ならない領域２１ができる。【００４７】
図６ａ、ｂは、防寒素材２００の製造方法のフローチャートの続きであって、防寒素材２００が完成するまでのプロセスを示す。図６ａに示す通り、２つの片面接着テープ（２０、２０’）の幅の中央を長手方向に縫着する。２つの片面接着テープ（２０、２０’）には、点線で示す２つの縫い目（２４−１、２４−２）が形成される。なお、２本針のミシンを用いて同時に縫うと、縫着作業の効率は良くなる。【００４８】
図６ｂに示す通り、メッシュテープ２２との縫い目２４−１を有する片面接着テープ２０の接着樹脂面２０ａを表地２６−１の内側面（又は裏面）に向け、かつ、メッシュテープ２２との縫い目２４−２を有する片面接着テープ２０’の接着樹脂面２０’ａ（不図示）を裏地２６−２の内側面（又は裏面）に向けた状態で接着機を用いて加熱する。接着樹脂が溶けて、表地２６−１の内側面には、接着樹脂面２０ａが接着し、裏地２６−２の内側面には、接着樹脂面２０’ａ（不図示）が接着する。【００４９】
さらに、表地２６−１と裏地２６−２との間隔を広げると、メッシュテープ２２が伸び、２つの生地（２６−１、２６−２）とメッシュテープ２２によってＺの字のように広がった状態のＺ字型の接着テープになる。Ｚ字型の接着テープが、表地２６−１の裏面と裏地２６−２の裏面の連結部材になる。【００５０】
メッシュテープ２２を介して２つの片面接着テープ（２０、２０’）によって接着された２つの生地（２６−１、２６−２）の内側の領域である収納領域に保温材２９が充填されることによって、防寒素材２００が完成する。【００５１】
（効果）
実施例２の防寒素材２００によれば、２つの生地（２６−１、２６−２）に針穴が無い状態で、防寒素材を作り上げることができる。また、このような防寒素材は、実施例１と同様、防寒ウェア全般に適用できる。【００５２】
また、メッシュテープ２２には、２つの片面接着テープ（２０、２０’）と重ならない領域２１ができ、２つの片面接着テープ（２０、２０’）とメッシュテープ２２の全てが重なることが無いため、表（側）素材への当たりが軽減される。【００５３】
また、メッシュテープ２２の網を通って、収納領域間を空気が移動するので、充填物が膨らみやすくなり、少ない量でもかさ高が増し、充填物の量が少なくできるので、軽量化が図れる。【００５４】
なお、本発明は上記した実施例に限定されるものではなく、例えば、布団や寝袋の防寒素材に適用されうる等と、適用されうる様々な変形例が含まれる。【００５５】
加えて、上記した実施例は本発明を分かりやすく説明するために詳細に説明したものであり、必ずしも説明した全ての構成を備えるものに限定されるものではない。例えば、メッシュテープ２２は全てメッシュになっている必要はなく、メッシュテープ２２の部材の一部がメッシュ（網目）になっていてもよい。【００５６】
また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００５７】
１０、１０’、２０、２０’    片面接着テープ
１０ａ、１０’ａ、２０ａ、２０’ａ    接着樹脂面
１０ｂ、１０’ｂ、２０ｂ、２０’ｂ    非接着面
１４、２４−１、２４−２    縫い目
１６−１、２６−１    表地
１６−２、２６−２    裏地
１９、２９    保温材
２２    メッシュテープ
１００、２００    防寒素材
１１０    連結部材（Ｘ字型の接着テープ）
２１０    連結部材（Ｚ字型の接着テープ）
【図１】
2018100763.tif 000003
【図２ａ】
2018100763.tif 000004
【図２ｂ】
2018100763.tif 000005
【図２ｃ】
2018100763.tif 000006
【図３ａ】
2018100763.tif 000007
【図３ｂ】
2018100763.tif 000008
【図４】
2018100763.tif 000009
【図５ａ】
2018100763.tif 000010
【図５ｂ】
2018100763.tif 000011
【図６ａ】
2018100763.tif 000012
【図６ｂ】
2018100763.tif 000013
【国際調査報告】
2018100763.tif 000014
2018100763.tif 000015
2018100763.tif 000016
2018100763.tif 000017